(57)【要約】  本開示のある特定の態様は、ワイヤレス通信のための装置および方法に関する。一態様において、ワイヤレス媒体上での通信のための方法は、第１の時間期間の間、ワイヤレス媒体へのアクセスをリザーブする第１の通信を、第１のワイヤレスデバイスから、送信することを含む。方法は、第２の時間期間の間、第１の通信によって指定されたリザベーションにかかわらず、１つまたは複数のワイヤレスデバイスがワイヤレス媒体にアクセスすることを選択的に可能にする第２の通信を送信することをさらに含む。方法は、第２の時間期間の後に、第３の時間期間の間、ワイヤレス媒体へのアクセスをリザーブする第３の通信を送信することをさらに含む。
2018510565.tif 000002
【特許請求の範囲】
【請求項１】
ロングタームエボリューション無認可（ＬＴＥ−Ｕ）送信時間間にウィンドウを提供するための方法であって、その間に、ワイヤレスローカルエリアネットワーク（ＷＬＡＮ）デバイスがワイヤレス媒体へのアクセスを競合することができ、
第１の時間期間の間、前記ワイヤレス媒体へのアクセスをリザーブする第１の通信を、第１のワイヤレスデバイスから、送信することと、
第２の時間期間の間、前記第１の通信によって指定されたリザベーションにかかわらず、１つまたは複数のワイヤレスデバイスが前記ワイヤレス媒体にアクセスすることを選択的に可能にする第２の通信を送信することと、
前記第２の時間期間の後に、第３の時間期間の間、前記ワイヤレス媒体へのアクセスをリザーブする第３の通信を送信することと、
を備える、方法。
【請求項２】
前記第２の時間期間は、前記第１の時間期間のサブセットである、請求項１に記載の方法。
【請求項３】
前記第２の通信は、前記第２の時間期間の前記持続時間の間、前記第１の通信によって設定される、ネットワークアロケーションベクトル（ＮＡＶ）をクリアする、請求項１に記載の方法。
【請求項４】
前記第２の通信は、その後に前記１つまたは複数のワイヤレスデバイスが送信するべきでない時間を示す、請求項１に記載の方法。
【請求項５】
前記第２の通信は、前記１つまたは複数のワイヤレスデバイスが送信し得る持続時間を示す、請求項１に記載の方法。
【請求項６】
前記第２の通信は、前記１つまたは複数のワイヤレスデバイスがネットワークアロケーションベクトル（ＮＡＶ）を最大値に設定するべきである時間を示す、請求項１に記載の方法。
【請求項７】
前記ＮＡＶをクリアする第４の通信を送信することをさらに備える、請求項６に記載の方法。
【請求項８】
前記第２の通信は、前記１つまたは複数のワイヤレスデバイスがネットワークアロケーションベクトル（ＮＡＶ）を第１の値に設定またはリセットするべきである時間を示す、請求項１に記載の方法。
【請求項９】
前記第３の通信は、前記１つまたは複数のワイヤレスデバイスが、ネットワークアロケーションベクトル（ＮＡＶ）を、前記第１の値よりも大きい、第２の値に設定するべきであることを示す、請求項８に記載の方法。
【請求項１０】
ワイヤレスネットワーク上の複数のデバイスのサブセットによってのみ、前記第２の通信が復号可能である、請求項１に記載の方法。
【請求項１１】
前記第２の通信は、前記ワイヤレス媒体にアクセスすることが可能にされた１つまたは複数のワイヤレスデバイスを識別する、請求項１に記載の方法。
【請求項１２】
前記第２の通信は、前記ワイヤレス媒体へのアクセスを競合することが可能にされた１つまたは複数のアクセスクラスを識別する、請求項１に記載の方法。
【請求項１３】
前記第２の通信は、前記媒体にアクセスすることが可能にされた１つまたは複数の技術タイプを利用する１つまたは複数のデバイスを識別する、請求項１に記載の方法。
【請求項１４】
前記第１のワイヤレスデバイスは、ロングタームエボリューション無認可（ＬＴＥ−Ｕ）デバイスを備え、前記第１の通信は、ワイヤレスローカルエリアネットワーク（ＷＬＡＮ）通信を備える、請求項１に記載の方法。
【請求項１５】
前記第２の通信は、パブリックアクションフレームを備える、請求項１に記載の方法。
【請求項１６】
前記第２の通信は、制御フレームを備える、請求項１に記載の方法。
【請求項１７】
前記第２の通信は、ベンダー固有の情報要素（ＩＥ）を搬送するフレームを備える、請求項１に記載の方法。
【請求項１８】
ワイヤレス媒体上で通信するために構成された装置であって、
第１の時間期間の間、前記ワイヤレス媒体へのアクセスをリザーブする第１の通信を生成することと、
第２の時間期間の間、前記第１の通信によって指定されたリザベーションにかかわらず、１つまたは複数のワイヤレスデバイスが前記ワイヤレス媒体にアクセスすることを選択的に可能にする第２の通信を生成することと、
前記第２の時間期間の後の送信のために、第３の時間期間の間、前記ワイヤレス媒体へのアクセスをリザーブする第３の通信を生成することと、
を行うように構成されたプロセッサと、
前記第１、第２、および第３の通信を送信するように構成された送信機と、
を備える、装置。
【請求項１９】
前記第２の時間期間は、前記第１の時間期間のサブセットである、請求項１８に記載の装置。
【請求項２０】
前記第２の通信は、前記第２の時間期間の前記持続時間の間、前記第１の通信によって設定される、ネットワークアロケーションベクトル（ＮＡＶ）をクリアする、請求項１８に記載の装置。
【請求項２１】
前記第２の通信は、その後に前記１つまたは複数のワイヤレスデバイスが送信するべきでない時間を示す、請求項１８に記載の装置。
【請求項２２】
前記第２の通信は、前記１つまたは複数のワイヤレスデバイスが送信し得る持続時間を示す、請求項１８に記載の装置。
【請求項２３】
前記第２の通信は、前記１つまたは複数のワイヤレスデバイスがネットワークアロケーションベクトル（ＮＡＶ）を最大値に設定するべきである時間を示す、請求項１８に記載の装置。
【請求項２４】
前記送信機は、前記ＮＡＶをクリアする第４の通信を送信するようにさらに構成される、請求項２３に記載の装置。
【請求項２５】
前記第２の通信は、前記１つまたは複数のワイヤレスデバイスがネットワークアロケーションベクトル（ＮＡＶ）を第１の値に設定またはリセットするべきである時間を示す、請求項１８に記載の装置。
【請求項２６】
前記第３の通信は、前記１つまたは複数のワイヤレスデバイスが、ネットワークアロケーションベクトル（ＮＡＶ）を、前記第１の値よりも大きい、第２の値に設定するべきであることを示す、請求項２５に記載の装置。
【請求項２７】
ワイヤレスネットワーク上の複数のデバイスのサブセットによってのみ、前記第２の通信が復号可能である、請求項１８に記載の装置。
【請求項２８】
前記第２の通信は、前記ワイヤレス媒体にアクセスすることが可能にされた１つまたは複数のワイヤレスデバイスを識別する、請求項１８に記載の装置。
【請求項２９】
ワイヤレス媒体上での通信のための装置であって、
第１の時間期間の間、前記ワイヤレス媒体へのアクセスをリザーブする第１の通信を送信するための手段と、
第２の時間期間の間、前記第１の通信によって指定されたリザベーションにかかわらず、１つまたは複数のワイヤレスデバイスが前記ワイヤレス媒体にアクセスすることを選択的に可能にする第２の通信を送信するための手段と、
前記第２の時間期間の後に、第３の時間期間の間、前記ワイヤレス媒体へのアクセスをリザーブする第３の通信を送信するための手段と、
を備える、装置。
【請求項３０】
非一時的コンピュータ読み取り可能媒体であって、実行されると、
第１の時間期間の間、前記ワイヤレス媒体へのアクセスをリザーブする第１の通信を送信することと、
第２の時間期間の間、前記第１の通信によって指定されたリザベーションにかかわらず、１つまたは複数のワイヤレスデバイスが前記ワイヤレス媒体にアクセスすることを選択的に可能にする第２の通信を送信することと、
前記第２の時間期間の後に、第３の時間期間の間、前記ワイヤレス媒体へのアクセスをリザーブする第３の通信を送信することと、
を装置に行わせるコードを備える、非一時的コンピュータ読み取り可能媒体。
【発明の詳細な説明】
【技術分野】
【０００１】
[0001]  本開示のある特定の態様は、一般に、ワイヤレス通信に関し、さらに特には、混合されたワイヤレス通信システムにおける選択的な競合（selective contention）のための方法および装置に関する。
【背景技術】
【０００２】
[0002]  ワイヤレス通信システムにおける複数のデバイス間でワイヤレスに通信される情報の増加する量および複雑さのため、許容可能な干渉のレベルを管理するための要件は、増加し続ける。そのようなデバイスは、異なる通信規格に従って、共通の周波数スペクトル上で動作しながら、互いに近接近で（in close proximity）動作し得る。そのようなシステム規格のうちの２つは、ロングタームエボリューション（ＬＴＥ（登録商標））およびワイヤレスローカルエリアネットワーク（ＷＬＡＮ）として一般に知られている（commonly known as）。異なる複数のデバイスによる共通の周波数の使用は、そのようなデバイスが通信リソースにアクセスしている間、干渉を経験する可能性を本来的に（inherently）作り出す（creates）。ある特定の政府規制機関は、認可および無認可スペクトルを含むスペクトルをワイヤレスサービスに利用可能にする（makes）。一般に、認可周波数上のワイヤレス通信は、１つまたは複数の特定の使用およびロケーションに限定される。認可周波数スペクトルは、一般に、セルラマーケットエリア（ＣＭＡ：Cellular Market Areas）に提供されてきた。「無認可」または「認可免除（licensed-exempt）」として設計された周波数スペクトルは、送信電力の制限を含む、ある特定の技術的要件に準拠しながら、ユーザがワイヤレスデバイスを自由に動作することを可能にする。無認可周波数スペクトルのユーザは、スペクトルの排他的な使用を有さず、他の複数のユーザによる干渉にさらされる。
【０００３】
[0003]  一般に、認可および無認可周波数スペクトルにおいて動作するためのシステムプロトコルの詳細は、異なり得る。そのＬＴＥ規格は、ＬＴＥデバイスが認可および無認可周波数スペクトルの両方において、動作することを可能にする。それらＷＬＡＮデバイスはまた、同じ無認可周波数スペクトルにおいて動作している場合がある。無認可周波数スペクトルにおいて動作するそれらＬＴＥデバイスは、ＬＴＥ−Ｕデバイスとして一般に知られる。ＬＴＥ−ＵおよびＷＬＡＮデバイスは、本質的に同じ時間にまたはオーバーラップする時間期間において、共通周波数スペクトルを利用し得る。共通の無認可周波数スペクトルにおいて動作するＬＴＥ−ＵおよびＷＬＡＮデバイスによって経験される干渉のレベルを減らし、かつできるだけ（possibly）避けるために、ワイヤレス通信リソースの使用を制御および管理する必要がある。
【発明の概要】
【０００４】
[0004]  添付の特許請求の範囲内のシステム、方法およびデバイスの様々なインプリメンテーションは、各々、様々な態様を有し、それらのうちの１つも本明細書に記載された所望の属性に対する責任を単独では負わない。添付の特許請求の範囲を限定することなく、いくつかの卓越した特徴が本明細書に記載される。
【０００５】
[0005]  本明細書において記載された主題の１つまたは複数のインプリメンテーションの詳細は、添付の図面および下記の説明において説明される。他の特徴、態様、および利点は、説明、図面、および特許請求の範囲から明らかになるだろう。以下の図面の相対的な寸法は原寸通りに描かれていない場合があることに留意されたい。
【０００６】
[0006]  本開示の一態様は、ワイヤレス媒体上での通信の方法を提供する。方法は、第１の時間期間の間、ワイヤレス媒体へのアクセスをリザーブする第１の通信を、第１のワイヤレスデバイスから、送信することを含む。方法は、第２の時間期間の間、第１の通信によって指定されたリザベーションにかかわらず、１つまたは複数のワイヤレスデバイスがワイヤレス媒体にアクセスすることを選択的に可能にする第２の通信を送信することをさらに含む。方法は、第２の時間期間の後に、第３の時間期間の間、ワイヤレス媒体へのアクセスをリザーブする第３の通信を送信することをさらに含む。
【０００７】
[0007]  様々な実施形態において、第２の時間期間は、第１の時間期間のサブセットであることができる。様々な実施形態において、第２の通信は、第２の時間期間の持続時間の間、第１の通信によって設定される、ネットワークアロケーションベクトル（ＮＡＶ）をクリアする（clears）。様々な実施形態において、第２の通信は、その後に１つまたは複数のワイヤレスデバイスが送信するべきでない時間を示す。
【０００８】
[0008]  様々な実施形態において、第２の通信は、１つまたは複数のワイヤレスデバイスが送信し得る持続時間を示す。様々な実施形態において、第２の通信は、１つまたは複数のワイヤレスデバイスがネットワークアロケーションベクトル（ＮＡＶ）を最大値に設定するべきである時間を示す。
【０００９】
[0009]  様々な実施形態において、方法は、ＮＡＶをクリアする第４の通信を送信することをさらに含むことができる。様々な実施形態において、第２の通信は、１つまたは複数のワイヤレスデバイスがネットワークアロケーションベクトル（ＮＡＶ）を第１の値に設定またはリセットするべきである時間を示す。
【００１０】
[0010]  様々な実施形態において、第３の通信は、１つまたは複数のワイヤレスデバイスが、ネットワークアロケーションベクトル（ＮＡＶ）を、第１の値よりも大きい、第２の値に設定するべきであることを示す。様々な実施形態において、第２の通信は、ワイヤレスネットワーク上の複数のデバイスのサブセットによってのみ復号可能であることができる。様々な実施形態において、第２の通信は、ワイヤレス媒体にアクセスすることが可能にされた１つまたは複数のワイヤレスデバイスを識別する。
【００１１】
[0011]  様々な実施形態において、第２の通信は、ワイヤレス媒体へのアクセスを競合することが可能にされた１つまたは複数のアクセスクラスを識別する。様々な実施形態において、第２の通信は、媒体にアクセスすることが可能にされた１つまたは複数の技術タイプを利用する１つまたは複数のデバイスを識別する。様々な実施形態において、第１のワイヤレスデバイスは、ロングタームエボリューション無認可（ＬＴＥ−Ｕ）デバイスを含み、第１の通信は、ワイヤレスローカルエリアネットワーク（ＷＬＡＮ）通信を含む。
【００１２】
[0012]  様々な実施形態において、第２の通信は、パブリックアクションフレームを含む。様々な実施形態において、第２の通信は、制御フレームを含む。様々な実施形態において、第２の通信は、ベンダー固有の情報要素（ＩＥ）を搬送するフレームを含む。
【００１３】
[0013]  別の態様は、ワイヤレス媒体上で通信するように構成された装置を提供する。装置は、第１の時間期間の間、ワイヤレス媒体へのアクセスをリザーブする第１の通信を生成するように構成されたプロセッサを含む。プロセッサは、第２の時間期間の間、第１の通信によって指定されたリザベーションにかかわらず、１つまたは複数のワイヤレスデバイスがワイヤレス媒体にアクセスすることを選択的に可能にする第２の通信を生成するようにさらに構成される。プロセッサは、第２の時間期間の後の送信のために、第３の時間期間の間、ワイヤレス媒体へのアクセスをリザーブする第３の通信を生成するようにさらに構成される。装置は、第１、第２、および第３の通信を送信するように構成された送信機をさらに含む。
【００１４】
[0014]  様々な実施形態において、第２の時間期間は、第１の時間期間のサブセットであることができる。様々な実施形態において、第２の通信は、第２の時間期間の持続時間の間、第１の通信によって設定される、ネットワークアロケーションベクトル（ＮＡＶ）をクリアする。様々な実施形態において、第２の通信は、その後に１つまたは複数のワイヤレスデバイスが送信するべきでない時間を示す。
【００１５】
[0015]  様々な実施形態において、第２の通信は、１つまたは複数のワイヤレスデバイスが送信し得る持続時間を示す。様々な実施形態において、第２の通信は、１つまたは複数のワイヤレスデバイスがネットワークアロケーションベクトル（ＮＡＶ）を最大値に設定するべきである時間を示す。様々な実施形態において、送信機は、ＮＡＶをクリアする第４の通信を送信するようにさらに構成されることができる。
【００１６】
[0016]  様々な実施形態において、第２の通信は、１つまたは複数のワイヤレスデバイスがネットワークアロケーションベクトル（ＮＡＶ）を第１の値に設定またはリセットするべきである時間を示す。様々な実施形態において、第３の通信は、１つまたは複数のワイヤレスデバイスが、ネットワークアロケーションベクトル（ＮＡＶ）を、第１の時間よりも大きい、第２の時間に設定するべきであることを示す。
【００１７】
[0017]  様々な実施形態において、第２の通信は、ワイヤレスネットワーク上の複数のデバイスのサブセットによってのみ復号可能であることができる。様々な実施形態において、第２の通信は、ワイヤレス媒体にアクセスすることが可能にされた１つまたは複数のワイヤレスデバイスを識別する。様々な実施形態において、第２の通信は、ワイヤレス媒体へのアクセスを競合することが可能にされた１つまたは複数のアクセスクラスを識別する。
【００１８】
[0018]  様々な実施形態において、第２の通信は、媒体にアクセスすることが可能にされた１つまたは複数の技術タイプを利用する１つまたは複数のデバイスを識別する。様々な実施形態において、装置は、ロングタームエボリューション無認可（ＬＴＥ−Ｕ）デバイスを含み、第１の通信は、ワイヤレスローカルエリアネットワーク（ＷＬＡＮ）通信を含む。
【００１９】
[0019]  様々な実施形態において、第２の通信は、パブリックアクションフレームを含む。様々な実施形態において、第２の通信は、制御フレームを含む。様々な実施形態において、第２の通信は、ベンダー固有の情報要素（ＩＥ）を搬送するフレームを含む。
【００２０】
[0020]  別の態様は、ワイヤレス媒体上での通信ための別の装置を提供する。装置は、第１の時間期間の間、ワイヤレス媒体へのアクセスをリザーブする第１の通信を送信するための手段を含む。装置は、第２の時間期間の間、第１の通信によって指定されたリザベーションにかかわらず、１つまたは複数のワイヤレスデバイスがワイヤレス媒体にアクセスすることを選択的に可能にする第２の通信を送信することための手段をさらに含む。装置は、第２の時間期間の後に、第３の時間期間の間、ワイヤレス媒体へのアクセスをリザーブする第３の通信を送信するための手段をさらに含む。
【００２１】
[0021]  様々な実施形態において、第２の時間期間は、第１の時間期間のサブセットであることができる。様々な実施形態において、第２の通信は、第２の時間期間の持続時間の間、第１の通信によって設定される、ネットワークアロケーションベクトル（ＮＡＶ）をクリアする。様々な実施形態において、第２の通信は、その後に１つまたは複数のワイヤレスデバイスが送信するべきでない時間を示す。
【００２２】
[0022]  様々な実施形態において、第２の通信は、１つまたは複数のワイヤレスデバイスが送信し得る持続時間を示す。様々な実施形態において、第２の通信は、１つまたは複数のワイヤレスデバイスがネットワークアロケーションベクトル（ＮＡＶ）を最大値に設定するべきである時間を示す。様々な実施形態において、装置は、ＮＡＶをクリアする第４の通信を送信するための手段をさらに含むことができる。
【００２３】
[0023]  様々な実施形態において、第２の通信は、１つまたは複数のワイヤレスデバイスがネットワークアロケーションベクトル（ＮＡＶ）を第１の値に設定またはリセットするべきである時間を示す。様々な実施形態において、第３の通信は、１つまたは複数のワイヤレスデバイスが、ネットワークアロケーションベクトル（ＮＡＶ）を、第１の値よりも大きい、第２の値に設定するべきであることを示す。
【００２４】
[0024]  様々な実施形態において、第２の通信は、ワイヤレスネットワーク上の複数のデバイスのサブセットによってのみ復号可能であることができる。様々な実施形態において、第２の通信は、ワイヤレス媒体にアクセスすることが可能にされた１つまたは複数のワイヤレスデバイスを識別する。様々な実施形態において、第２の通信は、ワイヤレス媒体へのアクセスを競合することが可能にされた１つまたは複数のアクセスクラスを識別する。
【００２５】
[0025]  様々な実施形態において、第２の通信は、媒体にアクセスすることが可能にされた１つまたは複数の技術タイプを利用する１つまたは複数のデバイスを識別する。様々な実施形態において、装置は、ロングタームエボリューション無認可（ＬＴＥ−Ｕ）デバイスを含み、第１の通信は、ワイヤレスローカルエリアネットワーク（ＷＬＡＮ）通信を含む。様々な実施形態において、第２の通信は、パブリックアクションフレームを含む。様々な実施形態において、第２の通信は、制御フレームを含む。様々な実施形態において、第２の通信は、ベンダー固有の情報要素（ＩＥ）を搬送するフレームを含む。
【００２６】
[0026]  別の態様は、非一時的コンピュータ読み取り可能媒体を提供する。媒体は、実行されると、装置に、第１の時間期間の間、ワイヤレス媒体へのアクセスをリザーブする第１の通信を送信させるコードを含む。媒体は、実行されると、装置に、第２の時間期間の間、第１の通信によって指定されたリザベーションにかかわらず、１つまたは複数のワイヤレスデバイスがワイヤレス媒体にアクセスすることを選択的に可能にする第２の通信を送信させるコードをさらに含む。媒体は、実行されると、装置に、第２の時間期間の後に、第３の時間期間の間、ワイヤレス媒体へのアクセスをリザーブする第３の通信を送信させるコードをさらに含む。
【００２７】
[0027]  様々な実施形態において、第２の時間期間は、第１の時間期間のサブセットであることができる。様々な実施形態において、第２の通信は、第２の時間期間の持続時間の間、第１の通信によって設定される、ネットワークアロケーションベクトル（ＮＡＶ）をクリアする。様々な実施形態において、第２の通信は、その後に１つまたは複数のワイヤレスデバイスが送信するべきでない時間を示す。
【００２８】
[0028]  様々な実施形態において、第２の通信は、１つまたは複数のワイヤレスデバイスが送信し得る持続時間を示す。様々な実施形態において、第２の通信は、１つまたは複数のワイヤレスデバイスがネットワークアロケーションベクトル（ＮＡＶ）を最大値に設定するべきである時間を示す。様々な実施形態において、媒体は、実行されると、装置に、ＮＡＶをクリアする第４の通信を送信させるコードをさらに含むことができる。
【００２９】
[0029]  様々な実施形態において、第２の通信は、１つまたは複数のワイヤレスデバイスがネットワークアロケーションベクトル（ＮＡＶ）を第１の値に設定またはリセットするべきである時間を示す。様々な実施形態において、第３の通信が、１つまたは複数のワイヤレスデバイスが、ネットワークアロケーションベクトル（ＮＡＶ）を、第１の値よりも大きい、第２の値に設定するべきであることを示す。
【００３０】
[0030]  様々な実施形態において、第２の通信は、ワイヤレスネットワーク上の複数のデバイスのサブセットによってのみ復号可能であることができる。様々な実施形態において、第２の通信は、ワイヤレス媒体にアクセスすることが可能にされた１つまたは複数のワイヤレスデバイスを識別する。様々な実施形態において、第２の通信は、ワイヤレス媒体へのアクセスを競合することが可能にされた１つまたは複数のアクセスクラスを識別する。
【００３１】
[0031]  様々な実施形態において、第２の通信は、媒体にアクセスすることが可能にされた１つまたは複数の技術タイプを利用する１つまたは複数のデバイスを識別する。様々な実施形態において、装置は、ロングタームエボリューション無認可（ＬＴＥ−Ｕ）デバイスを含み、第１の通信は、ワイヤレスローカルエリアネットワーク（ＷＬＡＮ）通信を含む。
【００３２】
[0032]  様々な実施形態において、第２の通信は、パブリックアクションフレームを含む。様々な実施形態において、第２の通信は、制御フレームを含む。様々な実施形態において、第２の通信は、ベンダー固有の情報要素（ＩＥ）を搬送するフレームを含む。
【図面の簡単な説明】
【００３３】
【図１】[0033]  図１は、本開示の態様が用いられ得るワイヤレス通信システムの例を例示する。
【図２】[0034]  図２は、図１のワイヤレス通信システム内で用いられ得るワイヤレスデバイスにおいて利用され得る様々なコンポーネントを例示する。
【図３Ａ】[0035]  図３Ａは、１つの実施形態に従った、ＬＴＥおよびＷＬＡＮデバイス間の例となる通信の時間シーケンス図を例示する。
【図３Ｂ】[0036]  図３Ｂは、別の実施形態に従った、ＬＴＥおよびＷＬＡＮデバイス間の例となる通信の時間シーケンス図を例示する。
【図３Ｃ】[0037]  図３Ｃは、別の実施形態に従った、ＬＴＥおよびＷＬＡＮデバイス間の例となる通信の時間シーケンス図を例示する。
【図４】[0038]  図４は、図１のワイヤレス通信システム内で用いられることができるワイヤレス通信の例となる方法のためのフローチャートを示す。
【詳細な説明】
【００３４】
[0039]  新規なシステム、装置、および方法の様々な態様が、添付の図面に関連して以下により十分に説明される。しかしながら、本教示の開示は、多くの異なる形態で具現化されることができ、この開示の全体にわたって提示される任意の特定の構造または機能に限定されると解釈されるべきではない。むしろ、これらの態様は、本開示が徹底的で完全であり、当業者に本開示の範囲を十分に伝えるように提供される。本明細書における教示に基づいて、当業者は、本開示の範囲が、本開示の任意の他の態様から独立してインプリメントされようと、それらと組み合わされてインプリメントされようと、本明細書において開示される新規のシステム、装置、および方法の任意の態様をカバーするように意図されていることを理解するべきである。加えて、その範囲は、本明細書において記載される他の構造または機能を使用して実施されるそのような装置もしくは方法をカバーするように意図されている。本明細書において開示される任意の態様が、請求項の１つまたは複数の要素によって具現化され得ることが理解されるべきである。
【００３５】
[0040]  特定の態様が本明細書において説明されるが、これらの態様の変形および置換が、本開示の範囲内に含まれる（fall within）。好ましい態様のいくつかの利益および利点が述べられるが、本開示の範囲は、特定の利益、使用、または目的に限定されるように意図されるものではない。むしろ、本開示の態様は、異なるワイヤレス技術、システム構成、ネットワーク、および送信プロトコルに広く適用可能であるように意図されており、そのうちのいくつかは、図面および以下の説明において例として例示される。詳細な説明および図面は、限定的ではなく本開示を単に例示するものに過ぎず、本開示の範囲は、添付の請求項およびそれらの同等物によって定義されている。
【００３６】
[0041]  「例となる（exemplary）」という単語は、本明細書において、例（example）、事例（instance）、または実例（illustration）としての役割を果たす（serving as）ことを意味するように使用される。「例となる（exemplary）」として本明細書に説明される任意のインプリメンテーションは、他のインプリメンテーションよりも好ましいまたは有利であるとして必ずしも解釈されるべきではない。以下の説明は、いかなる当業者であっても、本明細書において記載された実施形態の製造または使用を可能にするために示される。詳細は、説明の目的で、以下の説明において記載される。他の事例では、開示された実施形態の説明を不必要な詳細により不明瞭にしないように、周知の構造および処理は、詳しくは述べられない。したがって、本出願は、示されるインプリメンテーションによって限定されるようには意図されず、ここに開示される原理および特徴と一致する広い範囲を与えられることとなる。
【００３７】
[0042]  本明細書で説明されたＷＬＡＮデバイスは、８０２．１１ａ、８０２．１１ａｈ、８０２．１１ａｃ、８０２．１１ｎ、８０２．１１ｇ、８０２．１１ｂ、および他のもののような、８０２．１１のファミリー規格のうちの任意のものにおいて説明されたプロトコルを使用し得る。ＷＬＡＮデバイスは、アクセスポイント（「ＡＰ」）、または局（「ＳＴＡ」）であり得る。一般に、ＡＰは、通信ネットワークにおけるＳＴＡのためのハブ（a hub）または基地局としての役割を果たす（serves）。ＳＴＡは、ラップトップコンピュータ、携帯情報端末（ＰＤＡ）、モバイル電話等であり得る。一般に、ＳＴＡは、たとえば、インターネット、他のデバイス、および他のネットワークへのワイヤレス接続を有するために、ＩＥＥＥ８０２．１１プロトコル通信リンクを介して、ＡＰにワイヤレスで接続する。ＳＴＡはまた、ＡＰを動作し得る。
【００３８】
[0043]  図１は、本開示の様々な態様を組み込んでいる場合があるワイヤレス通信システム１００の例を例示する。ワイヤレス通信システム１００は、ＳＴＡ１０６、基地局（ＢＳ）１０４、およびＡＰ１０８を含み得る。ＢＳ１０４は、カバレッジエリア１０２において、ワイヤレス通信カバレッジを提供し得る。ＡＰ１０８は、ベーシックサービスエリア（ＢＳＡ：a basic service area）１０９において、ワイヤレス通信カバレッジを提供し得る。カバレッジエリア１０２およびＢＳＡ１０９におけるワイヤレス通信は、無認可周波数スペクトルにおける通信を含み得る。ＬＴＥ−Ｕプロトコルに従ったワイヤレス通信の接続サービスは、ＢＳ１０４によって提供され得る。そのようなサービスを提供することは少なくともＬＴＥ−Ｕ通信（たとえば、データパケット）の送信を含む。一実施形態に従って、ＷＬＡＮ通信はまた、たとえば、データ通信のため、またはＬＴＥ−Ｕ通信を保護するために、ＢＳ１０４によって送信され得る。それ故、一実施形態に従って、ＢＳ１０４とＳＴＡ１０６との間のワイヤレス通信リンク１１０は、ＬＴＥ−ＵおよびＷＬＡＮプロトコルに従って、データパケットの送信および受信を含み得る。ＡＰ１０８は、無認可周波数スペクトルにおけるＷＬＡＮプロトコルに従って、ワイヤレス通信リンク１１６上でＳＴＡ１０６と通信し得る。そのように、ワイヤレス通信リンク１１０およびワイヤレス通信リンク１１６は、同じ時間にまたはオーバーラップする時間期間において、共通の無認可周波数スペクトル上で起こり得る。
【００３９】
[0044]  本明細書に説明される実施形態は、共通の通信リソース（たとえば、周波数スペクトル、および送信時間）を使用するＬＴＥ−ＵおよびＷＬＡＮデバイスの共存する（coexisting）動作に特に関連する。一般に、ワイヤレス通信システム１００は、その態様が、共通の無認可周波数スペクトル上で動作し得る多くの異なるデバイスを含む。これらのデバイスのいくつかは、他がＬＴＥ−Ｕプロトコル（ＬＴＥ−Ｕデバイス）に従う一方で、ＷＬＡＮ規格（ＷＬＡＮデバイス）に従って、動作している場合がある。そのようなデバイスとのＬＴＥ−ＵおよびＷＬＡＮワイヤレス通信リンクは、本質的に同じ時間にまたはオーバーラップする時間期間において起こり得る。周波数スペクトルおよび利用可能な送信時間（transmission times）のような通信リソースを共有することは、２つの異なるプロトコル（たとえば、ＬＴＥ−ＵおよびＷＬＡＮ）に従って動作するデバイスにとっての典型的に共存する問題を作り出す。一般に、ＷＬＡＮデバイスは、ＬＴＥ−Ｕ信号の存在を検出しない場合があり、それ故、ＷＬＡＮ信号を送信している間、ＬＴＥ−Ｕ通信の存在に気がつかない。そのような共存する動作は、ＬＴＥ−Ｕ通信に干渉をもたらすであろうし、所望の時間期間の間、ＬＴＥ−Ｕデバイスの同じ周波数スペクトルへのアクセスを制限し得る。ＬＴＥ−Ｕ通信はまた、ＷＬＡＮ通信に干渉をもたらしている場合がある。結果として、ＷＬＡＮおよびＬＴＥ−Ｕデバイスは、送信された信号の衝突だけでなく、通信データスループットの劣化を経験し得る。本開示の様々な態様は、ワイヤレス通信システム１００において、ＷＬＡＮおよびＬＴＥ−Ｕプロトコルに従って、異なる送信が起こる可能性が存在する無認可周波数スペクトルを使用することの効率を改善する。一実施形態に従って、ＢＳ１０４は、ＬＴＥ−Ｕプロトコルプロトコルに従って、ワイヤレス接続サービスを提供しながら、ＷＬＡＮ通信を送信する。
【００４０】
[0045]  たとえば、例示されたワイヤレス通信システム１００は、カバレッジエリア１０２内で動作するＡＰ１２５およびユーザ機器（ＵＥ）１５０をさらに含み得る。ＡＰ１２５およびＵＥ１５０の両方は、ＢＳ１０４から通信を受信し得る。ＡＰ１２５およびＵＥ１５０は、そのような通信を受信することに応答してそれらの動作を調整し得る。いくつかの実施形態において、ＡＰ１２５は、それが、ある特定のＬＴＥ−Ｕネットワーク情報の受信を復号することができるように、ハードウェアおよび／またはソフトウェア（たとえば、図２に示されたＬＴＥモデム２３４およびＷＬＡＮモデム２３８）を含み得る。たとえば、ＡＰ１２５は、ＷＬＡＮ通信内に埋め込まれた、ＬＴＥ−Ｕ通信の受信に関する情報またはＬＴＥ−Ｕネットワーク情報を復号し得る。
【００４１】
[0046]  本開示の様々な態様に従って、および下記により詳細に説明されるように、ワイヤレス通信の典型的に共存する問題は、異なるシステムが、時間および周波数リソースのような、同じ通信リソースを共有することによって、動作するとき、起こる。たとえば、ＬＴＥ−Ｕ信号（たとえば、通信リンク１１０上で）は、ＷＬＡＮデバイス（ＡＰ１０８のような）におけるエネルギー検出レベルより下のレベルで受信され得る。したがって、ＷＬＡＮデバイスは、ＬＴＥ−Ｕ通信に気がつかない場合があり、ＷＬＡＮ通信に干渉するＬＴＥ−Ｕ通信だけでなく、ＬＴＥ−Ｕ通信に干渉するであろうＬＴＥ−Ｕ通信の間、送信し得る。そのようなシナリオにおいて、ＷＬＡＮおよびＬＴＥ−Ｕデバイスの両方は、２つの通信プロトコル間の干渉および衝突からのスループットの劣化を経験し得る。複数のＷＬＡＮデバイスにとって、システムのスループットおよび通信効率を改善するために、それらＷＬＡＮデバイスが、それらの動作を調整し得るように、ＬＴＥ−ＵデバイスおよびＬＴＥ−Ｕ通信を検出することは、望ましくあり得る。本明細書において説明された実施形態は、ＬＴＥ−ＵおよびＷＬＡＮデバイス間の共存に関するが、しかしながら、それらはまた、他の複数のＲＡＴおよびプロトコルに適用され得る。
【００４２】
[0047]  一実施形態に従って、ＢＳ１０４は、選択的な競合期間（ＳＣＰ）通信と呼ばれるＷＬＡＮ通信を送信し得、それは、ＬＴＥ−Ｕ通信が送信されていない期間の間、それらの下でＷＬＡＮ通信が可能にされる状況（circumstances）を指すことができる。そのような状況は、ＷＬＡＮ通信が可能にされる特定の時間期間、送信することが可能にされた特定のＷＬＡＮデバイス（またはグループ）などを含むことができる。様々な実施形態において、ＢＳ１０４は、ＳＣＰを１つまたは複数の他のＷＬＡＮ通信で保護することによって、ＳＣＰ通信との干渉の見込み（likelihood）を減らすことができる。
【００４３】
[0048]  図２は、ワイヤレス通信システム１００における動作のためのワイヤレスデバイス２０２の様々なコンポーネントを例示する。ワイヤレスデバイス２０２は、ＢＳ１０４、ＡＰ１０８、またはＳＴＡ１０６によって必要とされ得るような動作を行うことに適している。ワイヤレスデバイス２０２は、ワイヤレス通信システム１００において必要とされ得る様々な動作に依存して、ＢＳ１０４、ＡＰ１０８、またはＳＴＡ１０６に関して異なるように構成および使用され得る。
【００４４】
[0049]  ワイヤレスデバイス２０２は、ワイヤレスデバイス２０２の動作を制御し得るプロセッサ２０４を含み得る。プロセッサ２０４はまた、中央処理ユニット（ＣＰＵ）、またはハードウェアプロセッサと呼ばれ得る。プロセッサ２０４は、典型的に、読み出し専用メモリ（ＲＯＭ）およびランダムアクセスメモリ（ＲＡＭ）の両方を含み得るメモリ２０６内に記憶されたプログラム命令に基づいて、論理演算および算術演算を行う。メモリ２０６の一部分はまた、不揮発性ランダムアクセスメモリ（ＮＶＲＡＭ）も含み得る。メモリ２０６における命令は、本明細書において記載された様々な態様をインプリメントするために実行可能であり得る。プロセッサ２０４は、１つまたは複数のプロセッサでインプリメントされる処理システムのコンポーネントであり得るか、またはそれを含み得、汎用マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、コントローラ、ステートマシン、ゲート論理、個別ハードウェアコンポーネント、専用ハードウェア有限ステートマシン、あるいは情報の計算または他の操作（manipulations）を実行することができる任意の他の適切なエンティティのうちの任意の組み合わせでインプリメントされ得る。
【００４５】
[0050]  プロセッサ２０４およびメモリ２０６は、ソフトウェアを記憶するための非一時的機械読み取り可能媒体を含み得る。ソフトウェアは、ソフトウェア、ファームウェア、ミドルウェア、マイクロコード、ハードウェア記述言語、またはそれ以外で呼ばれるかどうかにかかわらず、任意のタイプの命令を意味するように広く解釈されるべきである。命令は、（たとえば、ソースコード形式、バイナリコード形式、実行可能コード形式、またはコードの任意の他の適した形式の）コードを含み得る。命令は、１つまたは複数のプロセッサによって実行されると、処理システムに本明細書で記載された様々な機能を行わせる。プロセッサ２０４は、動作およびデータ通信を制御するためのデータパケットを生成するためのデータパケット生成器をさらに含み得る。
【００４６】
[0051]  ワイヤレスデバイス２０２は、データのワイヤレス送信および受信を可能にするために送信機２１０および受信機２１２を含み得る。送信機２１０および受信機２１２は、トランシーバ２１４に組み合わせられ得る。アンテナ２１６は、トランシーバ２１４に電気的に結合され得る。図示されないが、ワイヤレスデバイス２０２は、複数の送信機、複数の受信機、および／または複数のアンテナを含み得る。一実施形態において、図示されないが、アンテナは、ＬＴＥ−ＵおよびＷＬＡＮ通信の各々に関して専用であり（dedicated for）得る。その上、受信機および送信機は、ＬＴＥ−ＵおよびＷＬＡＮ通信の各々に関して専用であり得る。ＬＴＥ−ＵおよびＷＬＡＮ通信に関連付けられた動作はまた、同じ受信機および送信機によって集合的に行われ得る。ワイヤレスデバイス２０２は、ハウジングユニット２０８によって、囲まれ得る。
【００４７】
[0052]  ワイヤレスデバイス２０２はまた、ＬＴＥ−Ｕ通信に関するＬＴＥモデム２３４を含み得る。ワイヤレスデバイス２０２はまた、ＷＬＡＮ通信に関するＷＬＡＮモデム２３８を含み得る。ＬＴＥモデム２３４およびＷＬＡＮモデム２３８は、対応するＬＴＥ−ＵおよびＷＬＡＮプロトコルの媒体アクセス制御（ＭＡＣ）レイヤおよび物理（ＰＨＹ）レイヤの両方において処理することに関連付けられる動作に関する処理能力を含み（contain）得る。ＬＴＥモデム２３４およびＷＬＡＮモデム２３８は、別個に示されているが、当業者は、これら２つのコンポーネントによって行われるそれら機能が、ワイヤレスデバイス２０２の共通コンポーネントによって行われ得、または、それらの機能が、ハードウェアおよび／またはソフトウェアを介してリンクされることができることを理解するであろう。その上、ＬＴＥモデム２３４およびＷＬＡＮモデム２３８に関連付けられたそれら機能はまた、プロセッサ２０４およびデジタルシグナルプロセッサ（ＤＳＰ）２２０のような他のコンポーネントによって行われ得る。
【００４８】
[0053]  ワイヤレスデバイス２０２は、アンテナ２１６、送信機２１０および、および受信機２１２上で、ＬＴＥ−ＵおよびＷＬＡＮ通信の両方を送信および受信し得、それらの各々は、ＬＴＥモデム２３４およびＷＬＡＮモデム２３８に操作的に（operationally）接続され得る。本明細書で開示されるように、ワイヤレスデバイス２０２は、ワイヤレスデバイス２０２が、ＡＰ１０８、ＢＳ１０４、またはＳＴＡ１０６において使用およびインプリメントされているときに示され、かつ説明されるような全ての機能性およびコンポーネントを必要とするわけではない場合がある。本実施形態に従って、ＷＬＡＮモデム２３８の基本的な機能性は、ＷＬＡＮデータパケットの送信を処理することに制限され得る。たとえば、ＢＳ１０４とＳＴＡ１０６との間のワイヤレス通信リンク１１０は、ＬＴＥ−Ｕ通信の送信および受信、ならびにＷＬＡＮ通信の送信を含み得る。それ故に、ＢＳ１０４において、ＷＬＡＮモデム２３８の基本的な機能性は、ＷＬＡＮ通信の送信を処理することに制限され得る。
【００４９】
[0054]  ワイヤレスデバイス２０２はまた、受信された信号のレベルを検出および定量化するための信号検出器２１８を含み得る。信号検出器２１８は、総エネルギー、１シンボルあたりの１サブキャリアあたりのエネルギー（energy per subcarrier per symbol）、電力スペクトル密度（power spectral density）等を検出する形式でそのような信号を検出し得る。ワイヤレスデバイス２０２また、信号を処理することにおける使用のためのＤＳＰ２２０を含み得る。ＤＳＰ２２０は、操作的に接続され得、プロセッサ２０４および他のコンポーネントとリソースを共有し得る。
【００５０】
[0055]  ワイヤレスデバイス２０２は、いくつかの態様において、ユーザインタフェース２２２をさらに含み得る。ユーザインタフェース２２２は、ワイヤレスデバイス２０２のユーザに情報を運搬するためのディスプレイ、スピーカ、マイクロフォン、および／または、キーパッドのような、任意の要素を含み得、および／またはユーザからの入力を受信する。ワイヤレスデバイス２０２の様々なコンポーネントは、たとえば、データバス、パワーバス、制御信号バス、およびステータス信号バスを含み得るバスシステム２２６によって一緒に結合され得る。
【００５１】
[0056]  多数の（a number of）別個のコンポーネントが図２において例示されているが、当業者は、これらのコンポーネントのうちの１つまたは複数が、上記で説明される機能性に関してだけでなく、また他のコンポーネントに関して関連付けられた機能性を行うためにインプリメントされ得ることを理解するだろう。たとえば、プロセッサ２０４は、プロセッサ２０４に関して記載される機能性だけでなく、信号検出器２１８および／またはＤＳＰ２２０に関連付けられた機能性もまた、行うために使用され得る。図２において例示されるコンポーネントの各々は、複数の別個の要素を使用してインプリメントされ得る。
【００５２】
[0057]  例となる実施形態において、ＢＳ１０４は、ＬＴＥ−Ｕプロトコルの動作に従って、通信することのために構成され得、一方でまた、ＷＬＡＮプロトコルに従って、送信するように構成され得る。そのように、ワイヤレスデバイス２０２がＢＳ１０４として動作するように構成されるとき、ＷＬＡＮモデム２３８は、ＢＳ１０４からのそのようなＷＬＡＮ通信の送信を形成および促進するように構成されることができる。さらに、一実施形態に従って、ＢＳ１０４によって送信されるとき、ＷＬＡＮ通信は、ＷＬＡＮデバイス（または、それのサブセット）がＬＴＥ−Ｕ通信による干渉なしでＷＬＡＮ通信を送信することができる選択的な競合期間（ＳＣＰ）についての情報が埋め込まれる。ＷＬＡＮ通信の送信は、無認可周波数スペクトルにおいて他の可能なＷＬＡＮ通信からの受信干渉を減らした、起こる（take place）べきＬＴＥ−Ｕ通信に関する周波数スペクトルおよびタイミングリソースの利用可能性を改善または確かにするためのＬＴＥ−Ｕ通信に組み込まれ得る。ＢＳ１０４は、ＷＬＡＮ通信の送信をＳＴＡ１０６または任意の他のデバイスへのＬＴＥ−Ｕ通信に組み込みながら、ワイヤレス通信システム１００において他のＷＬＡＮデバイスによるＷＬＡＮ通信の送信からのＬＴＥ−Ｕ通信の受信機における干渉を経験する可能性を減らす。ＢＳ１０４におけるワイヤレスデバイス２０２の構成を言及する一方で、プロセッサ２０４またはＤＳＰ２２０は、例となる実施形態に従って、ＷＬＡＮ通信およびＬＴＥ−Ｕ通信を生成および送信するためのＬＴＥモデム２３４およびＷＬＡＮモデム２３８と一緒に動作し得る。一実施形態に従って、ＷＬＡＮ通信はまた、ＬＴＥ−Ｕ通信についての情報が埋め込まれ得る。
【００５３】
[0058]  ＢＳ１０４に近接近しているとき、ＡＰ１０８はまた、ＢＳ１０４によって成された送信を受信し得る。そのように、ＡＰ１０８はまた、ＬＴＥ−Ｕ通信に組み込まれ、かつＢＳ１０４によって送信されたＷＬＡＮ通信を受信している。ＡＰ１０８は、ＢＳ１０４からそのような送信を受信しながら、ＳＣＰ通信を受信するためにそれ自身のＷＬＡＮ通信の送信を先送りし（defer）得る。そのように、ＢＳ１０４によって送信されたＳＣＰ通信は、ＳＴＡ１０６において、ＡＰ１０８による可能なＷＬＡＮ送信からの、できるだけ減らされたレベルの干渉で、または、干渉がなく、継続し（continue）および受信され得る。ＬＴＥ−Ｕ通信に組み込まれ、かつＢＳ１０４によって送信されたＷＬＡＮ通信を受信するワイヤレス通信システム１００における他のＷＬＡＮデバイスはまた、それら自身のＷＬＡＮ通信の送信を先送りし得るか、またはＬＴＥ−Ｕ通信に使用される周波数チャネルとは異なるチャネル上で送信することによって通信し得る。ＬＴＥ−Ｕ通信に組み込まれたＷＬＡＮ通信は、そのように、ワイヤレス通信システム１００における他の可能なＷＬＡＮ送信からの、減らされたレベルの干渉で、または、干渉がなく、ＳＣＰ通信の送信および受信を保護する。ＷＬＡＮデバイスによるＷＬＡＮ通信の送信のためのＳＣＰの後続の使用、およびＳＣＰ通信を保護するＷＬＡＮ通信の様々な例は、図３Ａ〜３Ｃに関連して示されおよび下記に説明される。
【００５４】
[0059]  図３Ａは、一実施形態に従った、ＬＴＥおよびＷＬＡＮデバイス間の例となる通信の時間シーケンス図３００ａを例示する。この実施形態は、図１のワイヤレス通信システム１００内の例となる通信交換を例示する。ＬＴＥ−Ｕ通信に関して図３Ａが説明されているが、本明細書における教示は、ワイヤレス通信技術の他のセット間での共存に適用可能である。たとえば、いくつかの実施形態において、ＬＴＥ−Ｕ通信は、８０２．１１ａｘ通信と置き換えられることができる。様々な通信が示されるが、追加的な通信は、追加されることができ、示される任意の通信は、省略されることができ、および通信のタイミングまたは順序は再配置されることができる。
【００５５】
[0060]  図３Ａの例示された実施形態において、ＢＳ１０４は、ノッチ（notch）３１０によって分けられた第１のＬＴＥ−Ｕ波形３０５ａおよび第２のＬＴＥ−Ｕ波形３０５ｂを送信する。いくつかの実施形態において、各ＬＴＥ−Ｕ波形３０５ａ〜３０５ｂは、約１０ｍｓと約２０ｍｓとの間であることができる。いくつかの実施形態において、ノッチ３１０は、約１ｍｓと約２ｍｓとの間であることができる。
【００５６】
[0061]  第１のＬＴＥ−Ｕ波形３０５ａの終わりの前に、よってノッチ３１０の開始の前に、ＢＳ１０４は、第１のＷＬＡＮ保護インジケーション３１５ａを送信する。いくつかの実施形態において、ＷＬＡＮモデム２３８（図２）は、たとえば、ＬＴＥモデム２３４（図２）との協調（coordination）を介して、第１のＷＬＡＮ保護インジケーション３１５ａを送信することができる。様々な実施形態において、第１のＷＬＡＮ保護インジケーション３１５ａは、たとえば、８０２．１１デバイスによって復号可能であるワイヤレス媒体をリザーブする送信を含むことができる。いくつかの実施形態において、第１のＷＬＡＮ保護インジケーション３１５ａは、たとえば、ワイヤレス媒体が時間の指定された期間の間リザーブされることを示すクリア・トゥ・センド（ＣＴＳ：clear to send）−ｔｏ−ｓｅｌｆ（Ｃ２Ｓ）パケットを含むことができる。他の実施形態において、有効持続時間フィールドをもつ他のパケットは、媒体をリザーブするために使用されることができる。いくつかの実施形態において、保護インジケーション（たとえば、通信３１５ａおよび３１５ｂ）は、送信の非ＨＴデュプリケートモード（a non-HT duplicate mode）で送信されることができる。
【００５７】
[0062]  いくつかの実施形態において、第１のＷＬＡＮ保護インジケーション３１５ａは、少なくとも第２のＷＬＡＮ保護インジケーション３１５ｂの送信までワイヤレス媒体をリザーブすることができる。たとえば、第１のＷＬＡＮ保護インジケーション３１５ａは、受信ＳＴＡが、少なくとも第２のＷＬＡＮ保護インジケーション３１５ｂの送信の開始（または、いくつかの実施形態において、終わり）まで、それらのネットワークアロケーションベクトル（ＮＡＶ）３１２ａを設定するべきであることを示すことができる。
【００５８】
[0063]  いくつかの実施形態において、第１のＷＬＡＮ保護インジケーション３１５ａは、受信ＳＴＡが、第２のＷＬＡＮ保護インジケーション３１５ｂの送信を超えた時間まで、それらのＮＡＶ時間期間３１２ａを設定するべきであることを示すことができる。たとえば、第１のＷＬＡＮ保護インジケーション３１５ａは、受信ＳＴＡが、第２のＬＴＥ−Ｕ波形３０５ｂの開始まで、またはそれよりも後に、それらのＮＡＶ時間期間３１２ａを設定するべきであることを示すことができる。第１のＷＬＡＮ保護インジケーション３１５ａは、選択的な競合期間（ＳＣＰ）アナウンスメント３２０を復号する能力があるＷＬＡＮデバイスのサブセットによる送信のためのノッチ３１０の少なくとも一部分を、リザーブする役割を果たす。
【００５９】
[0064]  ＳＣＰアナウンスメント３２０は、（ＢＳ１０４のような）ＬＴＥ−Ｕデバイスによるいずれの前のワイヤレス媒体リザベーションにかかわらず、ＳＣＰアナウンスメント３２０を復号する能力があるＷＬＡＮデバイスのサブセットが、ワイヤレス媒体にアクセスすることができることを示すことができる。たとえば、ＳＣＰアナウンスメント３２０は、ＳＣＰアナウンスメント３２０を復号する能力があるＷＬＡＮデバイスのサブセットが、それらのＮＡＶをクリアすべきであることを示すことができる。ＢＳ１０４は、第１のＬＴＥ−Ｕ波形３０５ａの終わりの直後に、第１のＬＴＥ−Ｕ波形３０５ａの終わりの後の設定時間（たとえば、ＳＩＦＳ時間）に、または第１のＬＴＥ−Ｕ波形３０５ａの終わりの後（または、いくつかの実施形態において、前）の別の時間に、ＳＣＰアナウンスメント３２０を送信することができる。
【００６０】
[0065]  一実施形態において、ＳＣＰアナウンスメント３２０は、ＳＣＰアナウンスメント３２０を復号する能力があるＷＬＡＮデバイスのサブセットが、ＬＴＥ−Ｕデバイスによって設定される複数のＮＡＶをクリアのみするべきであることを示す。いくつかの実施形態において、ＳＣＰアナウンスメント３２０は、たとえば、（アドレス、グループ、アクセスカテゴリ等によってなど）明白に識別されたもののようなＳＣＰアナウンスメント３２０を復号する能力があるデバイスのサブセットにのみに適用されることができる。
【００６１】
[0066]  様々な実施形態において、ＳＣＰアナウンスメント３２０は、存在するフレームタイプをオーバーロードすることができ、制御フレームを含むことができ、および／またはパブリックアクションフレーム（管理フレームの例）を含むことができる。いくつかの実施形態において、ＳＣＰアナウンスメント３２０は、媒体がビジーになる（busy）とき、満了時間（an expiration time）を示すことができる。たとえば、ＳＣＰアナウンスメント３２０は、いつＳＣＰアナウンスメント３２０を復号する能力があるＷＬＡＮデバイスのサブセットが、第２のＷＬＡＮ保護インジケーション３１５ｂの開始、第２のＬＴＥ−Ｕ波形３０５ｂの開始等まで、ワイヤレス媒体にアクセスできるかを示すことができる。いくつかの実施形態において、ＳＣＰアナウンスメント３２０は、ＳＣＰアナウンスメント３２０を復号する能力があるＷＬＡＮデバイスのサブセットが、ワイヤレス媒体を競合することができる時間の持続時間（たとえば、選択的な競合期間３２５）を示すことができる。
【００６２】
[0067]  様々な実施形態において、ＳＣＰアナウンスメント３２０は、ＳＣＰアナウンスメントの送信の後の時間（直後、または後のＳＩＦＳ（a SIFS after）など）に始まり、第２のＷＬＡＮ保護インジケーション３１５ｂの開始時間、第２のＷＬＡＮ保護インジケーション３１５ｂの終わりの時間、または第２のＬＴＥ−Ｕ波形３０５ｂの開始時間に終わる、選択的な競合を可能にすることができる。選択的な競合期間３２５の終わりの時間を識別することによって、ＳＣＰアナウンスメント３２０は、ＳＴＡが第２のＷＬＡＮ保護インジケーション３１５ｂを受信し、かつ、第２のＬＴＥ−Ｕ波形３０５ｂとの干渉の見込みを減らすチャンス（chances）を改善することができる。いくつかの実施形態において、ＳＣＰアナウンスメント３２０は、ＳＣＰアナウンスメント３２０がターゲットにされ、それ故に、選択的な競合期間３２５の間、媒体にアクセスすることができる、ＳＴＡの（アドレス、グループ、アクセスカテゴリ等によるような）識別（identification）を含むことができる。
【００６３】
[0068]  第２のＬＴＥ−Ｕ波形３０５ｂの開始の前に、ＢＳ１０４は、第２のＷＬＡＮ保護インジケーション３１５ｂを送信する。いくつかの実施形態において、ＷＬＡＮモデム２３８（図２）は、たとえば、ＬＴＥモデム２３４（図２）との協調を介して、第２のＷＬＡＮ保護インジケーション３１５ｂを送信することができる。様々な実施形態において、第２のＷＬＡＮ保護インジケーション３１５ｂは、たとえば、８０２．１１デバイスによって復号可能なワイヤレス媒体をリザーブする送信を含むことができる。いくつかの実施形態において、第２のＷＬＡＮ保護インジケーション３１５ｂは、たとえば、ワイヤレス媒体が時間の指定された期間の間リザーブされることを示すクリア・トゥ・センド（ＣＴＳ）−ｔｏ−ｓｅｌｆ（Ｃ２Ｓ）パケットを含むことができる。他の実施形態において、他の媒体リザベーションパケットが使用されることができる。
【００６４】
[0069]  いくつかの実施形態において、第２のＷＬＡＮ保護インジケーション３１５ｂは、少なくとも次のＷＬＡＮ保護インジケーション（図示せず）の送信まで、ワイヤレス媒体をリザーブすることができる。たとえば、第２のＷＬＡＮ保護インジケーション３１５ｂは、次のＷＬＡＮ保護インジケーション（図示せず）の少なくとも開始（または、いくつかの実施形態において、終わり）まで、受信ＳＴＡが、それらのネットワークアロケーションベクトル（ＮＡＶ）３１２ｂを設定するべきであることを示すことができる。いくつかの実施形態において、第２のＷＬＡＮ保護インジケーション３１５ｂは、少なくともオンタイムの（on-time）ＬＴＥ−Ｕ波形３０５ｂの送信の完了まで、または少なくともオンタイムのＬＴＥ−Ｕ波形３０５ｂの終わりをマーキングするＣＦ−ｅｎｄフレーム（図示せず）の送信まで、ワイヤレス媒体をリザーブすることができる。
【００６５】
[0070]  図３Ａに関して述べられるように、いくつかの実施形態において、第１のＷＬＡＮ保護インジケーション３１５ａは、ＳＣＰアナウンスメント３２０と連携して（in conjunction with）、選択的な競合期間３２５の間、ＳＴＡのサブセットのみが競合することを可能にするように構成される。他の実施形態において、第１のＷＬＡＮ保護インジケーション３１５ａは、ＳＣＰアナウンスメント３２０と連携して、選択的な競合期間３２５の間、全てのＷＬＡＮ  ＳＴＡが送信することを可能にするように構成されることができる。そのような構成は、より多くのＷＬＡＮデバイスが送信することを可能にするが、いくつかの実施形態において、全てのＷＬＡＮデバイスがＳＣＰアナウンスメント３２０を理解できるわけではない。したがって、いくつかのＷＬＡＮデバイスは、第２のＬＴＥ−Ｕ波形３０５ｂ上で送信することを続け得る。
【００６６】
[0071]  図３Ｂは、別の実施形態に従った、ＬＴＥおよびＷＬＡＮデバイス間の例となる通信の時間シーケンス図３００ｂを例示する。この実施形態は、図１のワイヤレス通信システム１００内の例となる通信交換を例示する。ＬＴＥ−Ｕ通信に関して図３Ｂが説明されているが、本明細書における教示は、ワイヤレス通信技術の他のセット間での共存に適用可能である。たとえば、いくつかの実施形態において、ＬＴＥ−Ｕ通信は、８０２．１１ａｘ通信と置き換えられることができる。様々な通信が示されるが、追加的な通信は、追加されることができ、示される任意の通信は、省略されることができ、および通信のタイミングまたは順序は再配置されることができる。
【００６７】
[0072]  図３Ｂの例示された実施形態において、ＢＳ１０４は、ノッチ３１０によって分けられた第１のＬＴＥ−Ｕ波形３０５ａおよび第２のＬＴＥ−Ｕ波形３０５ｂを送信する。いくつかの実施形態において、各ＬＴＥ−Ｕ波形３０５ａ〜３０５ｂは、約１０ｍｓと約２０ｍｓとの間であることができる。いくつかの実施形態において、ノッチ３１０は、約１ｍｓと約２ｍｓとの間であることができる。
【００６８】
[0073]  第１のＬＴＥ−Ｕ波形３０５ａの終わりの前に、よってノッチ３１０の開始の前に、ＢＳ１０４は、第１のＷＬＡＮ保護インジケーション３１５ａを送信する。いくつかの実施形態において、ＷＬＡＮモデム２３８（図２）は、たとえば、ＬＴＥモデム２３４（図２）との協調を介して、第１のＷＬＡＮ保護インジケーション３１５ａを送信することができる。様々な実施形態において、第１のＷＬＡＮ保護インジケーション３１５ａは、たとえば、８０２．１１デバイスによって復号可能であるワイヤレス媒体をリザーブする送信を含むことができる。いくつかの実施形態において、第１のＷＬＡＮ保護インジケーション３１５ａは、たとえば、ワイヤレス媒体が時間の指定された期間の間リザーブされることを示すクリア・トゥ・センド（ＣＴＳ：clear to send）−ｔｏ−ｓｅｌｆ（Ｃ２Ｓ）パケットを含むことができる。他の実施形態において、他の媒体リザベーションパケットが使用されることができる。
【００６９】
[0074]  いくつかの実施形態において、第１のＷＬＡＮ保護インジケーション３１５ａは、少なくともＳＣＰアナウンスメント３２０の送信まで、ワイヤレス媒体をリザーブすることができる。たとえば、第１のＷＬＡＮ保護インジケーション３１５ａは、受信ＳＴＡが、少なくとも選択的な競合期間（ＳＣＰ）アナウンスメント３２０の開始（または、いくつかの実施形態において、終わり）まで、それらのネットワークアロケーションベクトル（ＮＡＶ）を設定するべきであることを示すことができる。
【００７０】
[0075]  いくつかの実施形態において、第１のＷＬＡＮ保護インジケーション３１５ａは、受信ＳＴＡが、ＳＣＰアナウンスメント３２０の送信を超えた時間まで、それらのＮＡＶを設定するべきであることを示すことができる。たとえば、第１のＷＬＡＮ保護インジケーション３１５ａは、その受信ＳＴＡを示すことができる。第１のＷＬＡＮ保護インジケーション３１５ａは、ＳＣＰアナウンスメント３２０の送信のためのノッチ３１０の少なくとも一部分を、リザーブする役割を果たす。
【００７１】
[0076]  ＳＣＰアナウンスメント３２０は、（ＢＳ１０４のような）ＬＴＥ−Ｕデバイスによるいずれの前のワイヤレス媒体リザベーションにかかわらず、ＳＣＰアナウンスメント３２０を復号する能力があるＷＬＡＮデバイスのサブセットが、ワイヤレス媒体にアクセスすることができることを示すことができる。たとえば、ＳＣＰアナウンスメント３２０は、ＳＣＰアナウンスメント３２０を復号する能力があるＷＬＡＮデバイスのサブセットが、それらのＮＡＶをクリアすべきであることを示すことができる。ＢＳ１０４は、第１のＬＴＥ−Ｕ波形３０５ａの終わりの直後に、第１のＬＴＥ−Ｕ波形３０５ａの終わりの後の設定時間（たとえば、ＳＩＦＳ時間）に、または第１のＬＴＥ−Ｕ波形３０５ａの終わりの後（または、いくつかの実施形態において、前）の別の時間に、ＳＣＰアナウンスメント３２０を送信することができる。いくつかの実施形態において、ＢＳ１０４は、ノッチ３１０の間、ＳＣＰアナウンスメント３２０の送信を競合することができる。
【００７２】
[0077]  一実施形態において、ＳＣＰアナウンスメント３２０は、ＳＣＰアナウンスメント３２０を復号する能力があるＷＬＡＮデバイスのサブセットが、ＬＴＥ−Ｕデバイスによって設定される複数のＮＡＶをクリアのみするべきであることを示す。いくつかの実施形態において、ＳＣＰアナウンスメントは、選択的な競合期間３２５の間、ユーザの別のサブセットにそれらが媒体にアクセスしない場合がある（すなわち、それらは、それらのＮＡＶを設定しなければならない）ことを示し得る。いくつかの実施形態において、ＳＣＰアナウンスメント３２０は、たとえば、（アドレス、グループ、アクセスカテゴリ等によってなど）明白に識別されたもののような、ＳＣＰアナウンスメント３２０を復号する能力があるデバイスのサブセットにのみに適用されることができる。いくつかの実施形態において、ＳＣＰアナウンスメント３２０は、ＷＬＡＮデバイスが、それらのＮＡＶをクリアするべきであることを示さない。
【００７３】
[0078]  様々な実施形態において、ＳＣＰアナウンスメント３２０は、存在するフレームタイプをオーバーロードすることができ、制御フレームを含むことができ、および／またはパブリックアクションフレーム（管理フレームの例）を含むことができる。いくつかの実施形態において、ＳＣＰアナウンスメント３２０は、媒体がビジーになるとき、満了時間を示すことができる。たとえば、ＳＣＰアナウンスメント３２０は、いつＳＣＰアナウンスメント３２０を復号する能力があるＷＬＡＮデバイスのサブセットが、第２のＷＬＡＮ保護インジケーション３１５ｂの開始、第２のＬＴＥ−Ｕ波形３０５ｂの開始等まで、ワイヤレス媒体にアクセスできるかを示すことができる。いくつかの実施形態において、ＳＣＰアナウンスメント３２０は、ＳＣＰアナウンスメント３２０を復号する能力があるＷＬＡＮデバイスのサブセットが、ワイヤレス媒体を競合することができる時間の持続時間（たとえば、選択的な競合期間３２５）を示すことができる。
【００７４】
[0079]  様々な実施形態において、ＳＣＰアナウンスメント３２０は、ＳＣＰアナウンスメントの送信の後の時間（直後、または後のＳＩＦＳなど）に始まり、第２のＷＬＡＮ保護インジケーション３１５ｂの開始時間、第２のＷＬＡＮ保護インジケーション３１５ｂの終わりの時間、または第２のＬＴＥ−Ｕ波形３０５ｂの開始時間に終わる、選択的な競合を可能にすることができる。選択的な競合期間３２５の終わりの時間を識別することによって、ＳＣＰアナウンスメント３２０は、ＳＴＡが第２のＷＬＡＮ保護インジケーション３１５ｂを受信し、かつ第２のＬＴＥ−Ｕ波形３０５ｂとの干渉の見込みを減らすチャンスを改善することができる。いくつかの実施形態において、ＳＣＰアナウンスメント３２０は、ＳＣＰアナウンスメント３２０が適用されるＳＴＡの（アドレス、グループ、アクセスカテゴリ等によるような）識別を含むことができる。
【００７５】
[0080]  第２のＬＴＥ−Ｕ波形３０５ｂの開始の前に、ＢＳ１０４は、第２のＷＬＡＮ保護インジケーション３１５ｂを送信する。いくつかの実施形態において、ＷＬＡＮモデム２３８（図２）は、たとえば、ＬＴＥモデム２３４（図２）との協調を介して、第２のＷＬＡＮ保護インジケーション３１５ｂを送信することができる。様々な実施形態において、第２のＷＬＡＮ保護インジケーション３１５ｂは、たとえば、８０２．１１デバイスによって復号可能なワイヤレス媒体をリザーブする送信を含むことができる。いくつかの実施形態において、第２のＷＬＡＮ保護インジケーション３１５ｂは、たとえば、ワイヤレス媒体が時間の指定された期間の間リザーブされることを示すクリア・トゥ・センド（ＣＴＳ：clear to send）−ｔｏ−ｓｅｌｆ（Ｃ２Ｓ）パケットを含むことができる。他の実施形態において、有効持続時間フィールドをもつ他のパケットは、媒体をリザーブするために使用され得る。いくつかの実施形態において、保護インジケーション（たとえば、通信３１５ａおよび３１５ｂ）は、送信の非ＨＴデュプリケートモードで送信されることができる。
【００７６】
[0081]  いくつかの実施形態において、第２のＷＬＡＮ保護インジケーション３１５ｂは、少なくとも次のＷＬＡＮ保護インジケーション（図示せず）の送信まで、ワイヤレス媒体をリザーブすることができる。たとえば、第２のＷＬＡＮ保護インジケーション３１５ｂは、次のＷＬＡＮ保護インジケーション（図示せず）の少なくとも開始（または、いくつかの実施形態において、終わり）まで、受信ＳＴＡが、それらのネットワークアロケーションベクトル（ＮＡＶ）を設定するべきであることを示すことができる。いくつかの実施形態において、第２のＷＬＡＮ保護インジケーション３１５ｂは、少なくともオンタイムの（on time）ＬＴＥ−Ｕ波形３０５ｂの送信の終わり（end）まで、または少なくともオンタイムのＬＴＥ−Ｕ波形３０５ｂの終わりをマーキングするＣＦ−ｅｎｄフレーム（図示せず）の送信まで、ワイヤレス媒体をリザーブすることができる。
【００７７】
[0082]  上記で述べられるように、図３Ｂの実施形態において、第１のＷＬＡＮ保護インジケーション３１５ａは、ノッチ３１０全体を保護しない。したがって、いくつかの実施形態において、ＳＣＰアナウンスメント３２０を復号する能力がない少なくとも１つのデバイスは、ノッチ３１０の間、送信することができる。ＳＣＰアナウンスメント３２０を復号する能力がないデバイスは、（ＢＳ１０４が、第２のＷＬＡＮ保護インジケーション３１５ｂおよび／または第２のＬＴＥ−Ｕ波形３０５ｂを送ることを可能にするために）いつ送信を止めるべきか知らないので、干渉のチャンスは増加する。たとえば、ＳＣＰアナウンスメント３２０を復号する能力がないデバイスは、第２のＷＬＡＮ保護インジケーション３１５ｂの間、送信を続けることができ、その事例において、それは、それのＮＡＶを設定しない。
【００７８】
[0083]  いくつかの実施形態において、ＳＣＰアナウンスメント３２０を受信するデバイスは、ＳＣＰアナウンスメント３２０をある特定の時間の後に送信しないというインジケーションとして解釈することができる。たとえば、図３Ｂに関して、ＳＣＰアナウンスメント３２０は、第２のＷＬＡＮ保護インジケーション３１５ｂの開始の後に送信しないというインジケーションとして解釈されることができる。それ故、いくつかの実施形態において、ＳＣＰアナウンスメント３２０を受信するデバイスは、それらのＮＡＶを最大またはデフォルト値に設定することができる。ＢＳ１０４は、リザベーションが終わったとき、ＮＡＶをクリアするためにＣＦ−ｅｎｄフレームを送信するように構成されることができる。他の実施形態において、ＳＣＰアナウンスメント３２０は、受信デバイスが、第２のＷＬＡＮ保護インジケーション３１５ｂを受信するのに十分に長いそれらのＮＡＶを設定するべきであることを示すことができ、それは、媒体リザベーション時間のさらなるインジケーションを提供することができる。いくつかの実施形態において、ＳＣＰアナウンスメント３２０は、任意のペンディングの送信が終わる（terminate）特定の時間を示すことができるが、しかし、その後（またはその後のＳＩＦＳまたはＥＩＦＳのような特定の持続時間）、ＳＣＰアナウンスメント３２０は、新しい送信を拒否しない（does not disallow）。いくつかの実施形態において、図３Ｃに関して下記に述べられるように、ＳＣＰアナウンスメント３２０は、開始時間を超えて、持続時間を示すことができ、その間、受信デバイスは、送信するべきでない。
【００７９】
[0084]  図３Ｃは、別の実施形態に従った、ＬＴＥおよびＷＬＡＮデバイス間の例となる通信の時間シーケンス図３００ｃを例示する。この実施形態は、図１のワイヤレス通信システム１００内の例となる通信交換を例示する。ＬＴＥ−Ｕ通信に関して図３Ｃが説明されているが、本明細書における教示は、ワイヤレス通信技術の他のセット間での共存に適用可能である。たとえば、いくつかの実施形態において、ＬＴＥ−Ｕ通信は、８０２．１１ａｘ通信と置き換えられることができる。様々な通信が示されるが、追加的な通信は、追加されることができ、示される任意の通信は、省略されることができ、および通信のタイミングまたは順序は再配置されることができる。
【００８０】
[0085]  図３Ｃの例示された実施形態において、ＢＳ１０４は、ノッチ３１０によって分けられた第１のＬＴＥ−Ｕ波形３０５ａおよび第２のＬＴＥ−Ｕ波形３０５ｂを送信する。いくつかの実施形態において、各ＬＴＥ−Ｕ波形３０５ａ〜３０５ｂは、約１０ｍｓと約２０ｍｓとの間であることができる。いくつかの実施形態において、ノッチ３１０は、約１ｍｓと約２ｍｓとの間であることができる。
【００８１】
[0086]  第１のＬＴＥ−Ｕ波形３０５ａの終わりの前に、よってノッチ３１０の開始の前に、ＢＳ１０４は、第１のＷＬＡＮ保護インジケーション３１５ａを送信する。いくつかの実施形態において、ＷＬＡＮモデム２３８（図２）は、たとえば、ＬＴＥモデム２３４（図２）との協調を介して、第１のＷＬＡＮ保護インジケーション３１５ａを送信することができる。様々な実施形態において、第１のＷＬＡＮ保護インジケーション３１５ａは、たとえば、８０２．１１デバイスによって復号可能であるワイヤレス媒体をリザーブする送信を含むことができる。いくつかの実施形態において、第１のＷＬＡＮ保護インジケーション３１５ａは、たとえば、ワイヤレス媒体が時間の指定された期間の間リザーブされることを示すクリア・トゥ・センド（ＣＴＳ：clear to send）−ｔｏ−ｓｅｌｆ（Ｃ２Ｓ）パケットを含むことができる。他の実施形態において、他の媒体リザベーションパケットが使用されることができる。
【００８２】
[0087]  いくつかの実施形態において、第１のＷＬＡＮ保護インジケーション３１５ａは、少なくとも第１のＬＴＥ−Ｕ波形３０５ａの終わりまで、ワイヤレス媒体をリザーブすることができる。たとえば、第１のＷＬＡＮ保護インジケーション３１５ａは、受信ＳＴＡが、少なくとも第１のＬＴＥ−Ｕ波形３０５ａの終わりまで、それらのネットワークアロケーションベクトル（ＮＡＶ）を設定するべきであることを示すことができる。他の実施形態において、第１のＷＬＡＮ保護インジケーション３１５ａは、少なくともＳＣＰアナウンスメント３２０の送信の終わりまで、ワイヤレス媒体をリザーブすることができる。
【００８３】
[0088]  いくつかの実施形態において、第１のＷＬＡＮ保護インジケーション３１５ａは、受信ＳＴＡが、ＳＣＰアナウンスメント３２０の送信を超えた時間まで、それらのＮＡＶを設定するべきであることを示すことができる。たとえば、第１のＷＬＡＮ保護インジケーション３１５ａは、その受信ＳＴＡを示すことができる。第１のＷＬＡＮ保護インジケーション３１５ａは、少なくとも第１のＬＴＥ−Ｕ波形３０５ａの一部分に関して、ワイヤレス媒体をリザーブする役割を果たす。
【００８４】
[0089]  ＳＣＰアナウンスメント３２０は、（ＢＳ１０４のような）ＬＴＥ−Ｕデバイスによるいずれの前のワイヤレス媒体リザベーションにかかわらず、ＳＣＰアナウンスメント３２０を復号する能力があるＷＬＡＮデバイスのサブセットが、ワイヤレス媒体にアクセスすることができることを示すことができる。たとえば、ＳＣＰアナウンスメント３２０は、ＳＣＰアナウンスメント３２０を復号する能力があるＷＬＡＮデバイスのサブセットが、それらのＮＡＶをクリアすべきであることを示すことができる。ＢＳ１０４は、第１のＬＴＥ−Ｕ波形３０５ａの終わりの直後に、第１のＬＴＥ−Ｕ波形３０５ａの終わりの後の設定時間（たとえば、ＳＩＦＳ時間またはＰＩＦＳ時間）に、または第１のＬＴＥ−Ｕ波形３０５ａの終わりの後（または、いくつかの実施形態において、前）の別の時間に、ＳＣＰアナウンスメント３２０を送信することができる。いくつかの実施形態において、ＢＳ１０４は、ノッチ３１０の間、ＳＣＰアナウンスメント３２０の送信を競合することができる。
【００８５】
[0090]  一実施形態において、ＳＣＰアナウンスメント３２０は、ＳＣＰアナウンスメント３２０を復号する能力があるＷＬＡＮデバイスのサブセットが、ＬＴＥ−Ｕデバイスによって設定される複数のＮＡＶをクリアのみするべきであることを示す。いくつかの実施形態において、ＳＣＰアナウンスメント３２０は、たとえば、（アドレス、グループ、アクセスカテゴリ、技術タイプ等によってなど）明白に識別されたもののようなＳＣＰアナウンスメント３２０を復号する能力があるデバイスのサブセットにのみに適用されることができる。いくつかの実施形態において、ＳＣＰアナウンスメント３２０は、ＷＬＡＮデバイスが、それらのＮＡＶをクリアするべきであることを示さない。
【００８６】
[0091]  様々な実施形態において、ＳＣＰアナウンスメント３２０は、存在するフレームタイプをオーバーロードすることができ、制御フレームを含むことができ、および／またはパブリックアクションフレーム（たとえば、制御フレームまたは管理フレーム）を含むことができる。いくつかの実施形態において、ＳＣＰアナウンスメント３２０は、媒体がビジーになるとき、満了時間を示すことができる。たとえば、ＳＣＰアナウンスメント３２０は、いつＳＣＰアナウンスメント３２０を復号する能力があるＷＬＡＮデバイスのサブセットが、第２のＷＬＡＮ保護インジケーション３１５ｂの開始（または、いくつかの実施形態において、終わり）、第２のＬＴＥ−Ｕ波形３０５ｂの開始等まで、ワイヤレス媒体にアクセスできるかを示すことができる。いくつかの実施形態において、ＳＣＰアナウンスメント３２０は、ＳＣＰアナウンスメント３２０を復号する能力があるＷＬＡＮデバイスのサブセットが、ワイヤレス媒体を競合することができる時間の持続時間（たとえば、選択的な競合期間３２５）を示すことができる。
【００８７】
[0092]  様々な実施形態において、ＳＣＰアナウンスメント３２０は、ＳＣＰアナウンスメントの送信の後の時間（直後、または後のＳＩＦＳなど）に始まり、第２のＷＬＡＮ保護インジケーション３１５ｂの開始時間、第２のＷＬＡＮ保護インジケーション３１５ｂの終わりの時間、または第２のＬＴＥ−Ｕ波形３０５ｂの開始時間に終わる、選択的な競合を可能にすることができる。選択的な競合期間３２５の終わりの時間を識別することによって、ＳＣＰアナウンスメント３２０は、ＳＴＡが第２のＷＬＡＮ保護インジケーション３１５ｂを受信し、かつ、第２のＬＴＥ−Ｕ波形３０５ｂとの干渉の見込みを減らすチャンスを改善することができる。いくつかの実施形態において、ＳＣＰアナウンスメント３２０は、ＳＣＰアナウンスメント３２０が適用されるＳＴＡの（アドレス、グループ、アクセスカテゴリ、技術タイプ等によるような）識別を含むことができる。
【００８８】
[0093]  様々な実施形態において、ＳＣＰアナウンスメント３２０は、その後に受信デバイスが送信するべきでない開始時間を示すことができる。ＳＣＰアナウンスメント３２０は、その間受信デバイスが送信するべきでない持続時間をさらに示すことができる。たとえば、例示された実施形態において、開始時間は、第２のＷＬＡＮ保護インジケーション３１５ｂの開始時間である。持続時間は、たとえば、第２のＬＴＥ−Ｕ波形３０５ｂの持続時間を含むことができる。
【００８９】
[0094]  第２のＬＴＥ−Ｕ波形３０５ｂの開始の前に、ＢＳ１０４は、第２のＷＬＡＮ保護インジケーション３１５ｂを送信する。いくつかの実施形態において、ＷＬＡＮモデム２３８（図２）は、たとえば、ＬＴＥモデム２３４（図２）との協調を介して、第２のＷＬＡＮ保護インジケーション３１５ｂを送信することができる。様々な実施形態において、第２のＷＬＡＮ保護インジケーション３１５ｂは、たとえば、８０２．１１デバイスによって復号可能なワイヤレス媒体をリザーブする送信を含むことができる。いくつかの実施形態において、第２のＷＬＡＮ保護インジケーション３１５ｂは、たとえば、ワイヤレス媒体が時間の指定された期間の間リザーブされることを示すクリア・トゥ・センド（ＣＴＳ：clear to send）−ｔｏ−ｓｅｌｆ（Ｃ２Ｓ）パケットを含むことができる。他の実施形態において、他の媒体リザベーションパケットが使用されることができる。いくつかの実施形態において、媒体リザベーションパケットは、送信の非ＨＴデュプリケートモードにおいて送信される。
【００９０】
[0095]  いくつかの実施形態において、第２のＷＬＡＮ保護インジケーション３１５ｂは、少なくとも次のＷＬＡＮ保護インジケーション（図示せず）の送信まで、ワイヤレス媒体をリザーブすることができる。たとえば、第２のＷＬＡＮ保護インジケーション３１５ｂは、次のＷＬＡＮ保護インジケーション（図示せず）の少なくとも開始（または、いくつかの実施形態において、終わり）まで、受信ＳＴＡが、それらのネットワークアロケーションベクトル（ＮＡＶ）を設定するべきであることを示すことができる。
【００９１】
[0096]  図４は、図１のワイヤレス通信システム内で用いられることができるワイヤレス通信の例となる方法のためのフローチャート４００を示す。方法は、図２において示されたワイヤレスデバイス２０２のような、全体または部分的に本明細書で説明されるデバイスによってインプリメントされることができる。例示された方法は、図１に関して上記で説明されるワイヤレス通信システム１００および図３Ａ〜４Ｃに関して上記で説明される通信３００ａ〜３００ｃを参照して本明細書において記載されるが、当業者は、例示された方法が本明細書において説明された別のデバイスによって、または任意の他の適したデバイスによって、インプリメントされることができることを理解するであろう。例示された方法は、特定の順序に関連して本明細書において説明されるが、様々な実施形態において、本明細書におけるブロックは、異なる順序で行われることができるか、または省略され、かつ追加的なブロックは、追加されることができる。
【００９２】
[0097]  第１に、ブロック４１０において、第１のワイヤレスデバイスは、第１の時間期間の間、ワイヤレス媒体へのアクセスをリザーブする第１の通信を送信する。たとえば、ＢＳ１０４は、時間期間３１２ａの間、ワイヤレス媒体をリザーブしながら、ＷＬＡＮ保護インジケーション３１５ａを送信することができる。ＢＳ１０４は、たとえば、ＳＴＡ１０６および／またはＡＰ１０８に（ブロードキャストまたは直接のアドレス（direct address）を介して）第１の通信を送信することができる。したがって、ＳＴＡ１０６は、第１の通信を受信することができ、時間期間３１２ａの間、送信することを控えることができる。
【００９３】
[0098]  様々な実施形態において、第１のワイヤレスデバイスは、ロングタームエボリューション無認可（ＬＴＥ−Ｕ）デバイスを含み、第１の通信は、ワイヤレスローカルエリアネットワーク（ＷＬＡＮ）通信を含む。たとえば、第１のワイヤレスデバイスは、ＢＳ１０４を含むことができ、第１の通信は、ＷＬＡＮ保護インジケーション３１５ａを含むことができる。
【００９４】
[0099]  次に、ブロック４２０において、第１のワイヤレスデバイスは、第２の時間期間の間、第１の通信によって指定されたリザベーションにかかわらず、１つまたは複数のワイヤレスデバイスがワイヤレス媒体にアクセスすることを選択的に可能にする第２の通信を送信する。たとえば、ＢＳ１０４は、選択的な競合期間３２５の間送信することを可能にされた１つまたは複数のＳＴＡを示す、ＳＣＰアナウンスメント３２０を送信することができる。ＢＳ１０４は、たとえば、ＳＴＡ１０６および／またはＡＰ１０８に（ブロードキャストまたは直接のアドレスを介して）第２の通信を送信することができる。ＳＣＰアナウンスメント３２０は、ＳＴＡ１０６を識別することができる。ＳＴＡ１０６がＳＣＰアナウンスメント３２０を復号する能力があり、ＳＣＰアナウンスメント３２０において識別される実施形態において、ＳＴＡ１０６は、選択的な競合期間３２５の間、送信することができる。
【００９５】
[00100]  様々な実施形態において、第２の時間期間は、第１の時間期間のサブセットであることができる。たとえば、第１の時間期間は、ＮＡＶ時間期間３１２ａを含むことができる。第２の時間期間は、選択的な競合期間３２５を含むことができ、それは、ＮＡＶ時間期間３１２ａのサブセットであることができる。
【００９６】
[00101]  様々な実施形態において、第２の通信は、第２の時間期間の持続時間の間、第１の通信によって設定される、ネットワークアロケーションベクトル（ＮＡＶ）をクリアする。たとえば、第１の時間期間は、ＮＡＶ時間期間３１２ａを含むことができる。第２の時間期間は、選択的な競合期間３２５を含むことができ、それは、ＮＡＶ時間期間３１２ａをクリアすることができる。
【００９７】
[00102]  様々な実施形態において、第２の通信は、その後に１つまたは複数のワイヤレスデバイスが送信するべきでない時間を示す。たとえば、ＳＣＰアナウンスメント３２０は、Ｃ２Ｓ２  ３１５ｂの開始時間、Ｃ２Ｓ２  ３１５ｂの終わりの時間、ＬＴＥ−Ｕ波形３０５ｂの開始等のような、選択的な競合期間３２５が終わった後にデバイスが送信するべきでないことを示すことができる。
【００９８】
[00103]  様々な実施形態において、第２の通信は、１つまたは複数のワイヤレスデバイスが送信し得る持続時間を示す。たとえば、ＳＣＰアナウンスメント３２０は、デバイスが、選択的な競合期間３２５の間送信することが可能であることを示すことができる。
【００９９】
[00104]  様々な実施形態において、第２の通信は、１つまたは複数のワイヤレスデバイスがネットワークアロケーションベクトル（ＮＡＶ）を最大値に設定するべきである時間を示す。たとえば、ＳＣＰアナウンスメント３２０は、ＳＴＡ１０６が、Ｃ２Ｓ２  ３１５ｂの開始時間、Ｃ２Ｓ２  ３１５ｂの終わりの時間、ＬＴＥ−Ｕ波形３０５ｂの開始等において、それのＮＡＶを最大に設定するべきであることを示すことができる。
【０１００】
[00105]  様々な実施形態において、第２の通信は、ワイヤレス媒体へのアクセスを競合することが可能にされた１つまたは複数のアクセスクラスを識別する。たとえば、ＳＣＰアナウンスメント３２０は、１つまたは複数のアクセスクラス識別子を含むことができる。様々な実施形態において、第２の通信は、媒体にアクセスすることが可能にされた１つまたは複数の技術タイプを利用する１つまたは複数のデバイスを識別する。たとえば、ＳＣＰアナウンスメント３２０は、１つまたは複数のデバイス識別子および／または技術識別子を含むことができる。
【０１０１】
[00106]  様々な実施形態において、第２の通信は、ワイヤレスネットワーク上の複数のデバイスのサブセットによってのみ復号可能であることができる。たとえば、ＳＣＰアナウンスメント３２０は、ＳＣＰアウェアデバイスによってのみ、復号可能であることができる。いくつかの実施形態において、ＳＣＰアナウンスメント３２０を復号することができないデバイスは、レガシーデバイスと呼ばれることができる。様々な実施形態において、第２の通信は、ワイヤレス媒体にアクセスすることが可能にされた１つまたは複数のワイヤレスデバイスを識別する。たとえば、ＳＣＰアナウンスメント３２０は、１つまたは複数のデバイス識別子を含むことができる。
【０１０２】
[00107]  様々な実施形態において、第２の通信は、パブリックアクションフレームを含む。様々な実施形態において、第２の通信は、制御フレームを含む。様々な実施形態において、第２の通信は、ベンダー固有の情報要素（ＩＥ）を搬送するフレームを含む。
【０１０３】
[00108]  それから、ブロック４３０において、第１のワイヤレスデバイスは、第２の時間期間の後に、第３の時間期間の間、ワイヤレス媒体へのアクセスをリザーブする第３の通信を送信する。たとえば、ＢＳ１０４は、時間期間３１２ｂの間、ワイヤレス媒体をリザーブしながら、Ｃ２Ｓ２  ３１５ｂを送信することができる。ＢＳ１０４は、たとえば、ＳＴＡ１０６および／またはＡＰ１０８に（ブロードキャストまたは直接のアドレスを介して）第３の通信を送信することができる。したがって、ＳＴＡ１０６は、第３の通信を受信することができ、時間期間３１２ｂの間、送信することを控えることができる。
【０１０４】
[00109]  様々な実施形態において、第３の通信が、１つまたは複数のワイヤレスデバイスが、ネットワークアロケーションベクトル（ＮＡＶ）を、第１の値よりも大きい、第２の値に設定するべきであることを示す。たとえば、ＢＳ１０４は、Ｃ２Ｓ２  ３１５ｂを送信することができ、それは、ＳＣＰアナウンスメント３２０によって設定されるものよりも遅い終わりの時間（end time）でＮＡＶを設定することができる。
【０１０５】
[00110]  様々な実施形態において、方法は、ＮＡＶをクリアする第４の通信を送信することをさらに含むことができる。たとえば、ＢＳ１０４は、Ｃ２Ｓ２  ３１５ｂを送信した後に、ＣＦ−ｅｎｄパケット（a CF-end packet）（図示せず）送信することができる。様々な実施形態において、第２の通信は、１つまたは複数のワイヤレスデバイスがネットワークアロケーションベクトル（ＮＡＶ）を第１の値に設定またはリセットするべきである時間を示す。たとえば、ＢＳ１０４は、Ｃ２Ｓ２  ３１５ｂの開始時間で開始するリザベーション時間を示し、および指定された持続時間の間持続する（lasting）、ＳＣＰアナウンスメント３２０を送信することができる。
【０１０６】
[00111]  一実施形態において、図４において示された方法は、生成回路および送信回路を含むことができるワイヤレスデバイスにおいてインプリメントされることができる。当業者は、ワイヤレスデバイスが、本明細書において説明された簡易化されたワイヤレスデバイスよりも多くのコンポーネント有することができることを理解するだろう。本明細書において説明されるワイヤレスデバイスは、特許請求の範囲内のインプリメンテーションのいくつかの卓越した特徴を説明することに役立つ（useful for）それらのコンポーネントのみを含む。
【０１０７】
[00112]  生成回路は、第１、第２、および第３の通信を生成するように構成されることができる。いくつかの実施形態において、生成回路は、少なくとも図４のブロック４１０〜４３０を行うように構成されることができる。生成回路は、プロセッサ２０４（図２）、メモリ２０６（図２）、およびＤＳＰ２２０（図２）の１つまたは複数を含むことができる。いくつかのインプリメンテーションにおいて、生成するための手段は、生成回路を含むことができる。
【０１０８】
[00113]  送信回路は、第１、第２、および第３の通信を送信するように構成されることができる。いくつかの実施形態において、送信回路は、少なくとも図４のブロック４１０〜４３０を行うように構成されることができる。送信回路は、送信機２１０（図２）、アンテナ２１６（図２）、およびトランシーバ２１４（図２）の１つまたは複数を含むことができる。いくつかのインプリメンテーションにおいて、送信するための手段は、送信回路を含むことができる。
【０１０９】
[00114]  当業者は、情報および信号が多種多様の異なる技術及び技法の任意のものを使用して表され得ることを理解するであろう。たとえば、上記の説明を通して参照されることができるデータ、命令、コマンド、情報、信号、ビット、シンボル、およびチップは、電圧、電流、電磁波、磁場または磁性粒子、光場または光学粒子、あるいはそれらの任意の組み合わせによって、表されることができる。
【０１１０】
[00115]  本明細書で使用される場合、「決定する（determining）」という用語は、幅広い種類のアクションを包含（encompasses）する。たとえば、「決定すること」は、計算すること、演算すること、処理すること、導出すること、調査すること、調べること（たとえば、テーブル、データベース、または別のデータ構造において、調べること）、確認することなどを含み得る。また、「決定すること」は、受信すること（たとえば、情報を受信すること）、アクセスすること（たとえば、メモリ内のデータにアクセスすること）などを含み得る。また、「決定すること」は、決心すること、選択すること、選ぶこと、確立することなどを含み得る。さらに、本明細書で使用される「チャネル幅」は、ある特定の態様において、帯域幅を包含し得、または、帯域幅とも呼ばれ得る。
【０１１１】
[00116]  本明細書で使用される場合、項目のリスト「のうちの少なくとも１つ」を参照するフレーズは、単一のメンバーを含む、それらの項目の任意の組み合わせを参照する。一例として、「ａ、ｂ，またはｃのうちの少なくとも１つ」は、ａ、ｂ、ｃ、ａ−ｂ、ａ−ｃ、ｂ−ｃ、およびａ−ｂ−ｃをカバーするように意図されている。
【０１１２】
[00117]  上記で説明された方法の様々な動作は、様々なハードウェアおよび／またはソフトウェアコンポーネント（単数または複数）、回路、および／またはモジュール（単数または複数）のような、動作を行う能力がある任意の適した手段、によって行われ得る。一般に、図面において例示されたいずれの動作も、動作を行う能力がある対応する機能的な手段によって行われ得る。
【０１１３】
[00118]  本開示に関して説明された様々な例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタロジック、個別ハードウェアコンポーネント、あるいはここで説明された機能を実行するように設計されたこれらの任意の組み合わせを用いてインプリメントまたは実行され得る。汎用プロセッサは、マイクロプロセッサであり得るが、代替において、プロセッサは、任意の商業的に利用可能なプロセッサ、コントローラ、マイクロコントローラまたはステートマシンであり得る。プロセッサはまた、コンピューティングデバイスの組み合わせ、たとえば、ＤＳＰと１つのマイクロプロセッサの組み合わせ、複数のマイクロプロセッサ、ＤＳＰコアと連携する１つまたは複数のマイクロプロセッサ、または任意の他のそのような構成、としてインプリメントされ得る。
【０１１４】
[00119]  １つまたは複数の態様において、説明された機能は、ハードウェア、ソフトウェア、ファームウェア、またはそれらの任意の組み合わせにおいてインプリメントされ得る。ソフトウェアにおいてインプリメントされる場合、機能は、１つまたは複数の命令またはコードとして、コンピュータ読み取り可能媒体上で送信され得るか、またはそれ上に記憶され得る。コンピュータ読み取り可能媒体は、コンピュータ記憶媒体および１つの場所から別の場所へコンピュータプログラムの移転を容易にする任意の媒体を含む通信媒体の両方を含む。記憶媒体は、コンピュータによってアクセスされることができる任意の利用可能な媒体であり得る。例として、および限定でなく、そのようなコンピュータ読み取り可能媒体は、ＲＡＭ、ＲＯＭ、ＥＥＰＲＯＭ（登録商標）、ＣＤ−ＲＯＭ、または他の光学ディスク記憶装置、磁気ディスク記憶装置、または他の磁気記憶装置、あるいは、命令またはデータ構造の形態で所望のプログラムコードを搬送または記憶するために使用されることができ、かつコンピュータによってアクセスされることができる、任意の他の媒体を備えることができる。また、いかなる接続もコンピュータ読み取り可能媒体と適切に（properly）称される。たとえば、ウェブサイト、サーバ、または、同軸ケーブル、光ファイバーケーブル、ツイストペア、デジタル加入者回線（ＤＳＬ）、あるいは赤外線、無線、およびマイクロ波のようなワイヤレス技術を使用する他のリモートソースから、ソフトウェアが送信される場合、同軸ケーブル、光ファイバーケーブル、ツイストペア、ＤＳＬ、または赤外線、無線、およびマイクロ波のようなワイヤレス技術は、媒体の定義の中に含まれる。ディスク（disk）およびディスク（disc）は、本明細書で使用される場合、コンパクトディスク（ＣＤ）（disc）、レーザーディスク（登録商標）（disc）、光ディスク（disc）、デジタル多用途ディスク（ＤＶＤ）（disc）、フロッピー（登録商標）ディスク（disk）およびＢｌｕ−ｒａｙ（登録商標）ディスクを含み、ここで、ディスク（disks）は、通常、磁気的にデータを再生し、一方で、ディスク（discs）は、レーザーで光学的にデータを再生する。したがって、いくつかの態様では、コンピュータ読み取り可能な媒体は、非一時的なコンピュータ読み取り可能媒体（たとえば、有体的媒体）を備え得る。加えて、いくつかの態様において、コンピュータ読み取り可能媒体は、一時的コンピュータ読み取り可能媒体（たとえば、信号）を備え得る。上記の組み合わせもまた、コンピュータ読み取り可能媒体の範囲内に含まれるべきである。
【０１１５】
[00120]  ここに開示された方法は、説明された方法を達成するための１つまたは複数のステップまたはアクションを備える。方法ステップおよび／またはアクションは、特許請求の範囲から逸脱することなく、互いに置き換えられ得る。言い換えると、ステップまたはアクションの特定の順序が指定されない限り、特定のアクションおよび／またはステップの使用および／または順序は、特許請求の範囲から逸脱することなく、修正され得る。
【０１１６】
[00121]  説明された機能は、ハードウェア、ソフトウェア、ファームウェア、またはそれらの任意の組み合わせにおいて、インプリメントされ得る。ソフトウェアにおいてインプリメントされる場合、機能は、１つまたは複数の命令として、コンピュータ読み取り可能媒体上に記憶され得る。記憶媒体は、コンピュータによってアクセスされることができる任意の利用可能な媒体であり得る。例として、および限定でなく、そのようなコンピュータ読み取り可能媒体は、ＲＡＭ、ＲＯＭ、ＥＥＰＲＯＭ、ＣＤ−ＲＯＭ、または他の光学ディスク記憶装置、磁気ディスク記憶装置、または他の磁気記憶装置、あるいは、命令またはデータ構造の形態で所望のプログラムコードを搬送または記憶するために使用されることができ、かつコンピュータによってアクセスされることができる、任意の他の媒体を備えることができる。ディスク（disk）およびディスク（disc）は、本明細書で使用される場合、コンパクトディスク（ＣＤ）（disc）、レーザーディスク（disc）、光ディスク（disc）、デジタル多用途ディスク（ＤＶＤ）（disc）、フロッピーディスク（disk）およびＢｌｕ−ｒａｙ（登録商標）ディスクを含み、ここにおいて、ディスク（disks）は、通常、磁気的にデータを再生し、一方で、ディスク（discs）は、レーザーで光学的にデータを再生する。
【０１１７】
[00122]  それ故、ある特定の態様は、本明細書において提示された動作を行うためのコンピュータプログラムプロダクトを備え得る。たとえば、そのようなコンピュータプログラムプロダクトは、それ上に命令を記憶した（および／または符号化された）コンピュータ読み取り可能媒体を備え得、命令は、本明細書において説明された動作を行うために、１つまたは複数のプロセッサによって実行可能である。ある特定の態様に関して、コンピュータプログラムプロダクトは、包装材料（packaging material）を含み得る。
【０１１８】
[00123]  ソフトウェアまたは命令はまた、送信媒体上で送信され得る。たとえば、ウェブサイト、サーバ、または同軸ケーブル、光ファイバーケーブル、ツイストペア、デジタル加入者回線（DSL）、あるいは赤外線、無線、およびマイクロ波のようなワイヤレス技術を使用する他のリモートソースからソフトウェアが送信される場合、同軸ケーブル、光ファイバーケーブル、ツイストペア、DSL、または赤外線、無線、およびマイクロ波のようなワイヤレス技術は、送信媒体の定義の中に含まれる。
【０１１９】
[00124]  さらに、モジュールおよび／または本明細書で説明された方法及び技法を行うために他の適した手段は、ダウンロードされることができるかおよび／またはさもなければ、適用できる場合は、ユーザ端末および／または基地局によって取得されることができることは、理解されるべきである。たとえば、そのようなデバイスは、本明細書において説明された方法を行うための手段の移転を容易にするために、サーバに結合されることができる。代替的に、本明細書で記載された様々な方法は、ユーザ端末および／または基地局がデバイスに記憶手段を結合または提供する際に様々な方法を取得することができるように、記憶手段（たとえば、ＲＡＭ、ＲＯＭ、コンパクトディスク（ＣＤ）またはフロッピーディスク等のような物理記憶媒体）を介して提供されることができる。さらに、デバイスに、本明細書において説明された技法および方法を提供するための任意の他の適した技法は、使用されることができる。
【０１２０】
[00125]  特許請求の範囲は、上記に例示されたまさにそのコンポーネントおよび構成に制限されないことが理解されることになる。様々な修正、変更および変形は、特許請求の範囲から逸脱することなく、上記に説明された装置および方法の詳細、動作、および配置において、なされ得る。
【０１２１】
[00126]  前述のことが本開示の複数の態様に向けられている一方で、本開示の他のおよびさらなる態様は、その基本的な範囲から逸脱することなく考案され得、その範囲は、続く特許請求の範囲によって決定される。
【図１】
2018510565.tif 000003
【図２】
2018510565.tif 000004
【図３Ａ】
2018510565.tif 000005
【図３Ｂ】
2018510565.tif 000006
【図３Ｃ】
2018510565.tif 000007
【図４】
2018510565.tif 000008
【国際調査報告】
2018510565.tif 000009
2018510565.tif 000010